(57)【要約】  車室内に第１のナビディスプレイ（１０）及び第２のナビディスプレイ（２０）を予め配置しておく。第１のナビディスプレイ（１０）が表示するコンテンツと、第２のナビディスプレイ（２０）が表示するコンテンツとが同一か否かを判定する。同一と判定すると、第１のナビディスプレイ（１０）及び第２のナビディスプレイ（２０）のうち、同一と判定したコンテンツを先に表示しているディスプレイに、その表示するコンテンツを、同一と判定したコンテンツと予め関連付けした他のコンテンツに切り替えさせる。
2015068368.tif 000002
【特許請求の範囲】
【請求項１】
車室内に配置された第１の表示装置及び第２の表示装置と、
前記第１の表示装置が表示するコンテンツと、前記第２の表示装置が表示するコンテンツとが同一か否かを判定する表示コンテンツ判定部と、
前記表示コンテンツ判定部が同一と判定すると、前記第１の表示装置及び前記第２の表示装置のうち、同一と判定したコンテンツを先に表示している表示装置に、その表示するコンテンツを、前記同一と判定したコンテンツと予め関連付けした他のコンテンツに切り替えさせる表示コンテンツ切替部と、を備えることを特徴とする車載用情報表示装置。
【請求項２】
前記表示コンテンツ判定部は、前記第１の表示装置又は前記第２の表示装置が表示するコンテンツが切り替わる毎に、前記第１の表示装置が表示するコンテンツと、前記第２の表示装置が表示するコンテンツとが同一か否かを判定することを特徴とする請求項１に記載の車載用情報表示装置。
【請求項３】
予め設定した情報取得機能を実行して情報を取得し、取得した前記情報を出力する情報取得機能部と、
前記情報取得機能部が出力する前記情報を受け取り、該情報を含むコンテンツを前記第１の表示装置又は前記第２の表示装置に表示させる表示制御部と、をさらに備え、
前記第１の表示装置は、ユーザーの操作に応じた操作情報を前記情報取得機能部に出力する第１のユーザー操作部を有し、
前記第２の表示装置は、ユーザーの操作に応じた操作情報を前記情報取得機能部に出力する第２のユーザー操作部を有し、
前記表示制御部は、
前記第１のユーザー操作部が出力する前記操作情報に応じて前記情報取得機能部が前記情報を出力するときは、該情報を含むコンテンツを前記第１の表示装置に表示させ、
前記第２のユーザー操作部が出力する前記操作情報に応じて前記情報取得機能部が前記情報を出力するときは、該情報を含むコンテンツを前記第２の表示装置に表示させることを特徴とする請求項１又は請求項２に記載の車載用情報表示装置。
【請求項４】
前記情報取得機能部は、
予め設定した第１の情報取得機能を実行して第１の情報を取得し、取得した前記第１の情報を出力する第１の情報取得機能部と、
予め設定した第２の情報取得機能を実行して第２の情報を取得し、取得した前記第２の情報を出力する第２の情報取得機能部と、を有し、
前記表示制御部は、
前記第１の情報取得機能部が出力する前記第１の情報を受け取ると、該第１の情報を含む第１のコンテンツを前記第１の表示装置又は前記第２の表示装置に表示させ、
前記第２の情報取得機能部が出力する前記第２の情報を受け取ると、該第２の情報を含む第２のコンテンツを前記第１の表示装置又は前記第２の表示装置に表示させることを特徴とする請求項３に記載の車載用情報表示装置。
【請求項５】
車室内に第１の表示装置及び第２の表示装置を予め配置しておき、
前記第１の表示装置が表示するコンテンツと、前記第２の表示装置が表示するコンテンツとが同一か否かを判定し、
同一と判定すると、前記第１の表示装置及び前記第２の表示装置のうち、同一と判定したコンテンツを先に表示している表示装置に、その表示するコンテンツを、前記同一と判定したコンテンツと予め関連付けした他のコンテンツに切り替えさせることを特徴とする情報表示方法。
【発明の詳細な説明】
【技術分野】
【０００１】
本発明は、複数の表示装置を備える車載用情報表示装置の利便性を向上できるようにした車載用情報表示装置及び情報表示方法に関する。
【背景技術】
【０００２】
ナビゲーションに関する従来の技術として、特許文献１に記載の技術がある。その技術は、２つの表示部を有する電子機器を開示している。この電子機器は、地図を第１表示部に表示させ、画像検索手段によって検索された画像データに基づく画像を第２表示部に表示させる。これにより、この電子機器は、位置情報を有する画像データを地図に関連付けて表示することができる。
【先行技術文献】
【特許文献】
【０００３】
【特許文献１】特開２０１１−７７０１号公報
【発明の概要】
【発明が解決しようとする課題】
【０００４】
ところで、カーナビゲーション（以下、ナビ）システムやメーター表示部を有する車載用情報表示装置では、ナビディスプレイやメーターディスプレイなど、複数のディスプレイが存在する。このような車載用情報表示装置において、操作の分かり易さ等を考慮した結果として、複数のディスプレイのそれぞれで、ナビ機能やメーター表示機能など全ての機能を実現できるようにすることが考えられる。【０００５】
しかしながら、このような車載用情報表示装置では、各ディスプレイが同じ内容（即ち、コンテンツ）を表示する場合がある。この場合、各ディスプレイが同一コンテンツを表示することから、操作者は各ディスプレイの表示が冗長であると感じ、操作者にとっての利便性が低下してしまう可能性がある。上記の特許文献１では、２つのディスプレイの活用を提案しているものの、２つのディスプレイが同一コンテンツを表示するときの振舞いについては何ら想定していない。
そこで、本発明は、上記のような点に着目したもので、複数の表示装置を備える車載用情報表示装置の利便性を向上できるようにした車載用情報表示装置及び情報表示方法を提供することを目的とする。
【課題を解決するための手段】
【０００６】
上記課題を解決するために、本発明の一態様は、車室内に第１の表示装置及び第２の表示装置を予め配置しておく。第１の表示装置が表示するコンテンツと、第２の表示装置が表示するコンテンツとが同一か否かを判定する。同一と判定すると、第１の表示装置及び第２の表示装置のうち、同一と判定したコンテンツを先に表示している表示装置に、その表示するコンテンツを、同一と判定したコンテンツと予め関連付けした他のコンテンツに切り替えさせる。
【発明の効果】
【０００７】
本発明の一態様によれば、第１の表示装置及び第２の表示装置が同一コンテンツを表示するときは、その一方を該コンテンツに関係する他のコンテンツに自動で切り替えて、互いに関連する２つのコンテンツを近接して表示する。これにより、同一コンテンツを並べて表示する場合と比べて、ユーザーの操作手数を増やすことなく、より有用な情報をユーザーに提供することが可能となり、車載用情報表示装置の利便性を向上することができる。
【図面の簡単な説明】
【０００８】
【図１】本発明の第１実施形態に係る車載用ナビゲーションシステム１００の構成例を示す概要図である。
【図２】第１実施形態に係る第１のナビディスプレイ１０及び第２のナビディスプレイ２０の配置例を示す概念図である。
【図３】ナビシステム１００における表示コンテンツの切替方法を示すフローチャートである。
【図４】第１のナビディスプレイ１０及び第２のナビディスプレイ２０における画面遷移の一例を示す概念図である。
【図５】コンテンツ「燃費情報」及び「燃費履歴」の一例を示す図である。
【図６】コンテンツ「エネルギーモニター」及び「燃費・充電履歴」の一例を示す図である。
【図７】コンテンツ「コンパスナビ」及び「ＧＰＳ現在地情報」の一例を示す図である。
【図８】本発明の第２実施形態に係る車載機器システム２００の構成例を示す概要図である。
【図９】本発明の第２実施形態に係るナビディスプレイ１０及びオーディオディスプレイ１２０の配置例を示す概念図である。
【図１０】コンテンツ「オーディオ情報」及び「アルバムカバーフロー」の一例を示す図である。
【図１１】本発明の変形例に係るナビディスプレイ１０及びメーターディスプレイ２２０の配置例を示す概念図である。
【発明を実施するための形態】
【０００９】
次に、本発明の実施形態について図面を参照しつつ説明する。なお、以下に説明する各図において、同一の構成を有する部分には同一の符号を付し、その繰り返しの説明は省略する。
＜第１実施形態＞
（構成）
図１は、本発明の第１実施形態に係る車載用ナビゲーションシステム（以下、ナビシステム）１００の構成例を示す概要図である。このナビシステム１００は、第１のナビディスプレイ１０及び第２のナビディスプレイ２０のそれぞれで、ナビに関するコンテンツを表示し、操作することが可能なシステムである。図１に示すように、このナビシステム１００は、例えば、第１のナビディスプレイ１０と、第２のナビディスプレイ２０と、第１のナビディスプレイ１０及び第２のナビディスプレイ２０とそれぞれ通信ライン３１、３２を介して接続するシステム本体４０と、システム本体４０と通信ライン３３を介して接続するスピーカー４５と、を備える。
【００１０】
第１のナビディスプレイ１０は、例えば、コンテンツを表示する表示部１１と、ユーザーの操作に応じた操作情報（即ち、電気信号）を出力する操作部１２とを有する。表示部１１は、例えば液晶表示装置又は有機エレクトロルミネッセンスディスプレイ（以下、有機ＥＬ）等からなる。また、操作部１２は、例えばスイッチからなる。第１のナビディスプレイ１０が、タッチパネルの場合、操作部１２は表示部１１に周囲に配置されるスイッチに限定されず、その一部又は全部が表示部１１と重なって配置されるタッチパッドでもよい。
【００１１】
第２のナビディスプレイ２０は、例えば、コンテンツを表示する表示部２１と、ユーザーの操作に応じた操作情報を出力する操作部２２とを有する。第２のナビディスプレイ２０においても、表示部２１は、例えば液晶表示装置又は有機ＥＬ等からなる。また、操作部２２は、例えばスイッチからなる。第２のナビディスプレイ２０がタッチパネルの場合、操作部２２はその一部又は全部がタッチパッドでもよい。
なお、操作部１２、２２は、例えば、後述する情報取得機能部５０のナビ機能部５１、車両情報取得機能部５２、交通情報取得機能部５３にそれぞれ操作情報を出力して、これらが取得した情報を後述する表示制御部６１に出力させる。
【００１２】
システム本体４０は、例えば、情報取得機能部５０と、表示制御部６１と、表示コンテンツ判定部６２及び表示コンテンツ切替部６３を備える。情報取得機能部５０は、予め設定した（即ち、所定の）情報取得機能を実行して各種の情報を取得し、取得した情報を出力する機能部である。情報取得機能部５０は、情報の取得と出力、又は情報の出力を、例えば、各操作部１２、２２から操作情報を受け取るタイミングで行う。即ち、情報取得機能部５０は、各操作部１２、２２が出力する操作情報に応じて所定の情報取得機能を実行して各種の情報を取得し、取得した情報を出力する。又は、情報取得機能部５０は、所定の情報取得機能を予め実行して各種の情報を取得しておき、取得した情報を各操作部１２、２２が出力する操作情報に応じて出力してもよい。
【００１３】
情報取得機能部５０は、例えば、ナビ機能部５１と、車両情報取得機能部５２と、交通情報取得機能部５３を有する。ナビ機能部５１はナビ機能を有し、例えば、ＧＰＳ（Global Positioning System）から送信されてくる信号を受信して自車両の現在地を計測する機能と、地図情報を格納する機能と、各操作部１２、２２が出力する操作情報に応じて現在地から目的地までの走行経路を演算する機能と、を有する。また、車両情報取得機能部５２は、例えば、燃費情報、エネルギーフローに関する情報、タイヤ空気圧に関する情報、エコスコアに関する情報など、自車両に関する情報を取得する機能を有する。交通情報取得機能部５３は、例えば、地上波で送信されてくる交通情報を取得する機能を有する。
【００１４】
表示制御部６１は、第１、第２のナビディスプレイ１０、２０が表示するコンテンツ（即ち、表示コンテンツ）を制御する機能を有する。即ち、表示制御部６１は、情報取得機能部５０が出力する情報を受け取り、受け取った情報を含むコンテンツを第１のナビディスプレイ１０の表示部１１又は第２のナビディスプレイ２０の表示部２１に表示させる機能を有する。また、受け取った情報に音声データが含まれている場合は、スピーカー４５から音声を出力させる。音量は、例えば操作部１２、２２等で調整可能である。
【００１５】
表示制御部６１は、第１のナビディスプレイ１０の操作部１２が出力する操作情報に応じて情報取得機能部５０が情報を出力するときは、該情報を含むコンテンツを第１のナビディスプレイ１０の表示部１１に表示させる。また、表示制御部６１は、第２のナビディスプレイ２０の操作部２２が出力する操作情報に応じて情報取得機能部５０が情報を出力するときは、該情報を含むコンテンツを第２のナビディスプレイ２０の表示部２１に表示させる。
【００１６】
表示コンテンツ判定部６２は、表示部１１が表示するコンテンツと、表示部２１が表示するコンテンツとが同一か否かを判定する機能を有する。後述するように、表示コンテンツ判定部６２によるコンテンツの判定は、例えば、各表示部１１、２１が表示するコンテンツを切り替える毎に行う。
表示コンテンツ切替部６３は、第１のナビディスプレイ１０が表示するコンテンツと、第２のディスプレイ２０が表示するコンテンツとが同一であると判定された場合に、同一コンテンツを先に表示しているディスプレイに、その表示するコンテンツを、他のコンテンツに切り替えさせる機能を有する。後述するように、他のコンテンツは、同一コンテンツと予め関連付けした（即ち、紐付けした）コンテンツである。
【００１７】
図１に示すシステム本体４０は、例えばＣＰＵ（Central Processing Unit）と、ＲＡＭ（Random Access Memory）、ＲＯＭ（Read Only Memory）、ＨＤＤ（Hard disk drive）等の記憶装置と、通信ラインを構成する配線、外部と通信するためのアンテナ、ＣＤ（Compact Disc）、ＤＶＤ（Digital Versatile Disc）等に記録された情報をレーザー光等を使用して読み出す光学ドライブ装置など、各種のハードウェアで構成されている。そして、システム本体４０は、ＲＯＭ等の記憶装置に格納されたプログラムを読み出し、当該プログラムをＣＰＵで実行することによって、各種機能を実現する。図１に示した情報取得機能部５０と、表示制御部６１と、表示コンテンツ判定部６２及び表示コンテンツ切替部６３は、システム本体４０において上記のプログラムを実行することによって実現される機能を機能ブロックとして表わしたものである。
【００１８】
図２は、本発明の第１実施形態に係る第１のナビディスプレイ１０及び第２のナビディスプレイ２０の配置例を示す概念図である。図２に示すように、車室内１において、前席（例えば、運転席７１と助手席７２）と対向する位置にはダッシュボード（即ち、インパネ）７５が配置されている。このダッシュボード７５において、前席に着座した乗員（即ち、ユーザー）から視認可能な中央部の上側位置７５ａに第１のナビディスプレイ１０が収納されており、前席に着座した乗員から視認可能な中央部の下側位置７５ｂに第２のナビディスプレイ２０が収納されている。車室内１において、上側位置７５ａと下側位置７５ｂは上下方向で並んでおり、互いに近接している。これにより、前席に着座した乗員から見て、第１のナビディスプレイ１０及び第２のナビディスプレイ２０を同時に視野に入れる（即ち、同時に目視する）ことが可能となっている。また、図１に示したシステム本体４０は、例えば、第１のナビディスプレイ１０又は第２のナビディスプレイ２０と同じユニット内に配置されている。
【００１９】
図３は、ナビシステム１００における表示コンテンツの切替方法を示すフローチャートである。図３のステップＳ１０では、第１のナビディスプレイ１０の操作部１２（又は、第２のナビディスプレイ２０の操作部２２）をユーザーが操作して、第１のナビディスプレイ１０（又は、第２のナビディスプレイ２０）の表示コンテンツの切替えをナビシステム１００に指示する。すると、操作部１２（又は、操作部２２）が、この指示に応じた操作情報を通信ライン３１（又は、通信ライン３２）を介してシステム本体４０に出力する。
【００２０】
システム本体４０では、この操作情報を情報取得機能部５０が受け取る。そして、情報取得機能部５０は、受け取った操作情報に応じて、例えばナビ機能部５１、車両情報取得機能部５２又は交通情報取得機能部５３の何れかの機能を実行して情報を取得し、取得した情報を表示制御部６１に出力する。表示制御部６１は、情報取得機能部５０から受け取った情報を第１のナビディスプレイ１０（又は、第２のナビディスプレイ２０）に出力して、該情報を含むコンテンツを表示部１１（又は、表示部２２）に表示させる。
【００２１】
図３のステップＳ２０では、第１のナビディスプレイ１０が表示するコンテンツと、第２のナビディスプレイ２０が表示するコンテンツとが同一か否かを表示コンテンツ判定部６２が判定する。この判定は、例えば表示制御部６１が第１のナビディスプレイ１０と第２のナビディスプレイ２０にそれぞれ出力する情報に基づいて、表示コンテンツ判定部６２が行う。同一の場合はステップＳ３０へ進み、同一でない場合はスタートへ戻る。
【００２２】
図３のステップＳ３０では、表示コンテンツ切替部６３は情報取得機能部５０に電気信号を出力して、表示制御部６１に「他の情報」を出力させる。ここで、「他の情報」は、表示コンテンツ判定部６２が同一と判定したコンテンツに予め紐付けしておいた情報である。表示制御部６１は、受け取った「他の情報」を第２のナビディスプレイ２０（又は、第１のナビディスプレイ１０）に出力する。第２のディスプレイ２０（又は、第１のナビディスプレイ１０）は、その表示するコンテンツを、「他の情報」を含むコンテンツ（即ち、同一と判定したコンテンツに予め紐付けしておいた他のコンテンツ）に切り替える。その後、スタートへ戻る。
【００２３】
次に、第１のナビディスプレイ１０及び第２のナビディスプレイ２０の画面遷移について、図３の各ステップと対応させて説明する。
図４は、第１のナビディスプレイ１０及び第２のナビディスプレイ２０における画面遷移の一例を示す概念図である。図４（ａ）、（ｃ）、（ｅ）、（ｇ）は第１のナビディスプレイ１０の表示画面を示し、図４（ｂ）、（ｄ）、（ｆ）、（ｈ）は第２のナビディスプレイ２０の表示画面を示す。この例では、第１のナビディスプレイ１０及び第２のナビディスプレイ２０がそれぞれタッチパネルである場合を想定する。また、図４（ａ）に示すように第１のナビディスプレイ１０は情報スイッチ１２ａを表示し、図４（ｂ）に示すように第２のナビディスプレイ２０はコンテンツ「燃費表示」を表示している場合を想定する。情報スイッチ１２ａは図１に示した操作部１２として機能する。
【００２４】
まず、ユーザーが情報スイッチ１２ａを押下して、第１のナビディスプレイ１０の画面表示をコンテンツ「情報メニュー」に切り替える（ステップＳ１０）。すると、図４（ｃ）に示すように第１のナビディスプレイ１０は、「情報メニュー」として、例えば、燃費情報、エネルギーフロー、タイヤ空気圧、エコスコア、交通情報、ナビバージョン、ＧＰＳ情報、その他、の各カテゴリを表示する。これら各カテゴリは、単に画面表示されるだけでなく、タッチパネルの操作部１２として機能する。図４（ｃ）及び（ｄ）に示すように、第１のナビディスプレイ１０が表示する「情報メニュー」と、第２のナビディスプレイ２０が表示する「燃費表示」は異なるため、第２のナビディスプレイ２０は「燃費表示」を表示し続ける（ステップＳ２０）。
【００２５】
次に、ユーザーが「情報メニュー」の中から燃費情報を選択して押下し、第１のナビディスプレイ１０の表示画面をコンテンツ「燃費表示」に切り替える（ステップＳ１０）。この場合、図４（ｅ）及び（ｆ）に示すように、第１のナビディスプレイ１０が表示する「燃費表示」と、第２のナビディスプレイ２０が表示する「燃費表示」は同一となる。そこで、図４（ｈ）に示すように、「燃費表示」を先に表示していた第２のナビディスプレイ２０は、その表示画面を「燃費表示」からコンテンツ「燃費履歴」に切り替える。図４（ｇ）に示すように、「燃費表示」を後から表示した第１のナビディスプレイ１０は、「燃費表示」をそのまま表示し続ける。
「燃費表示」と「燃費履歴」は燃費という観点で予め関連付けしたコンテンツであり、それぞれが燃費情報という同一のカテゴリに属する。「燃費履歴」は「燃費表示」に関係し、例えば、平均燃費や瞬間燃費の良否をユーザーが判定する際の判定基準となり得る。このため、第１のナビディスプレイ１０が表示する「燃費表示」に近接して、第２のナビディスプレイ２０が表示する「燃費履歴」は、ユーザーにとって有用なコンテンツとなり得る。
【００２６】
図５（ａ）及び（ｂ）は、コンテンツ「燃費情報」及び「燃費履歴」の一例を示す図である。図５（ａ）及び（ｂ）に示すように、本発明の実施形態で説明する各コンテンツは、例えば日本語、英語で表示してよく、さらにドイツ語、フランス語、中国語など任意の言語で表示してもよい。図５（ａ）に示すように、「燃費情報」は、平均燃費に関する指標、瞬間燃費に関する指標、推定航続距離等を表示する。図５（ｂ）に示すように、コンテンツ「燃費履歴」は、予め設定した期間（例えば、時、日、週、月毎）における燃費を表示する。また、タッチパネルで構成される各画面は、表示している数値のリセットを指示するためのボタン（例えば、図５（ａ）に示す「Ｒｅｓｅｔ  Ｆｕｅｌ  Ｅｃｏ」）や、同一カテゴリに属する他のコンテンツへの画面遷移を指示するためのボタン（例えば、図５（ａ）に示す「Ｆｕｅｌ  Ｅｃｏ  Ｈｉｓｔｏｒｙ」）や、直前に表示していた画面に戻るためのボタン（例えば、図５（ｂ）に示す「戻る」）を表示してもよい。「燃費情報」「燃費履歴」の何れも、例えば車両情報取得機能部５２が取得した車両情報を含むコンテンツである。
なお、図４（ｃ）に示した「情報メニュー」について、例えば、ユーザーが「情報メニュー」の中からエネルギーフローを選択して押下すると、第１のナビディスプレイ１０の表示画面はコンテンツ「エネルギーモニター」に切り替わる。
【００２７】
図６（ａ）及び（ｂ）は、コンテンツ「エネルギーモニター」及び「燃費・充電履歴」の一例を示す図である。図６（ａ）に示すように、「エネルギーモニター」は、例えば、エンジンによるバッテリーへの充電状態や、バッテリーに充電した電力でモーターを駆動している状態など、ＨＥＶ（Hybrid Electric Vehicle）に関するエネルギーフローを一目で把握できるような画面となっている。また、この画面には、例えばコンテンツ「燃費・充電履歴」へ遷移するためのボタンを表示している。このボタンを選択して押下すると、図６（ｂ）に示すように、「エネルギーモニター」から、ＨＥＶ情報という観点で同一カテゴリに属する「燃費・充電履歴」に画面遷移する。「エネルギーモニター」「燃費・充電履歴」の何れも、例えば車両情報取得機能部５２が取得した車両情報を含むコンテンツである。
同様に、図４（ｃ）に示した「情報メニュー」について、例えば、ユーザーが「情報メニュー」の中からナビバージョンを選択して押下すると、第１のナビディスプレイ１０の表示画面はコンテンツ「コンパスナビ」に切り替わる。
【００２８】
図７（ａ）及び（ｂ）は、コンテンツ「コンパスナビ」及び「ＧＰＳ現在地情報」の一例を示す図である。例えば図７（ａ）に示すように、コンテンツ「コンパスナビ」は、例えばコンパスが示す東西南北の方向と地図とを重ねた画面を表示し、現在地から目的地へ向かうルートを一目で把握できるような画面となっている。また、この画面は、現在地から目的地までの距離や、現在地から目的地までの推定到着時刻等を表示する。さらに、この画面は、交通情報の一部を地図に重ねて表示してもよく、例えば、渋滞している道路等を赤色等の視認性の高い色で太く表示してもよい。
【００２９】
同様に、図４（ｃ）に示した「情報メニュー」について、例えば、ユーザーが「情報メニュー」の中からＧＰＳ情報を選択して押下すると、第１のナビディスプレイ１０の表示画面はコンテンツ「ＧＰＳ現在地情報」に切り替わる。例えば図７（ｂ）に示すように、コンテンツ「ＧＰＳ現在地情報」は、コンパスと地図とを重ねた画面を表示し、現在地の緯度、経度や、ＧＰＳ信号の受信強度等を表示する。「コンパスナビ」「ＧＰＳ現在地情報」の何れも、例えばナビ機能部５１が取得したナビ情報を含むコンテンツである。また、「コンパスナビ」は、例えば交通情報取得機能部５３が取得した交通情報を含むコンテンツでもある。
【００３０】
（動作）
次に、第１実施形態の動作例について説明する。
例えば、第１のナビディスプレイ１０が図５（ａ）に示したコンテンツ「燃費情報」を表示し、第２のナビディスプレイ２０が図６（ａ）に示したコンテンツ「エネルギーモニター」を表示している場合を想定する。この想定下で、ユーザーが第１のナビディスプレイ１０が表示するボタンを指先でタッチして、表示コンテンツを「燃費情報」から図６（ｂ）に示した「燃費・充電履歴」に切り替える。この場合、第１のナビディスプレイ１０が表示する「燃費・充電履歴」と第２のナビディスプレイ２０が表示する「エネルギーモニター」は同一コンテンツでないため、第２のナビディスプレイ２０が表示するコンテンツは切り替わらない。即ち、第１のナビディスプレイ１０は「燃費・充電履歴」を表示し、第２のナビディスプレイ２０は「エネルギーモニター」を表示する。
【００３１】
一方、上記の想定下で、ユーザーが第１のナビディスプレイ１０が表示するボタンを指先でタッチして、表示画面を「情報メニュー」に一旦戻し、その後、「情報メニュー」の中からエネルギーフローを選択して押下する。この場合、第１のナビディスプレイ１０が表示する「エネルギーモニター」と第２のナビディスプレイ２０が表示する「エネルギーモニター」は同一コンテンツのため、第２のナビディスプレイ２０の表示コンテンツが自動で切り替わる。例えば、「エネルギーモニター」と、図６（ｂ）に示した「燃費・充電履歴」は予め紐付けされているので、第２のナビディスプレイ２０は「エネルギーモニター」を「燃費・充電履歴」に切り替えて表示する。
【００３２】
これにより、例えば図２に示した車室内１において、ダッシュボード７５の中央部の上側位置７５ａに配置された第１のナビディスプレイ１０は「エネルギーモニター」を表示し、中央部の下側位置７５ｂに配置された第２のナビディスプレイ２０は「燃費・充電履歴」を表示する。第１のナビディスプレイ１０と第２のナビディスプレイ２０は上下方向で並んでおり、互いに近接しているので、ユーザーは「エネルギーモニター」「燃費・充電履歴」を同時に視野に入れることが可能である。
【００３３】
この第１実施形態では、第１のナビディスプレイ１０が本発明の「第１の表示装置」に対応し、第２のナビディスプレイ２０が本発明の「第２の表示装置」に対応している。また、操作部１２が本発明の「第１のユーザー操作部」に対応し、操作部２２が本発明の「第２のユーザー操作部」に対応している。また、ナビ機能部５１が本発明の「第１の情報取得機能部」に対応し、車両情報取得機能部５２が本発明の「第２の情報取得機能部」に対応している。また、図７（ａ）に示したコンテンツ「コンパスナビ」が本発明の「第１のコンテンツ」に対応し、図５（ａ）に示したコンテンツ「燃費情報」が本発明の「第２のコンテンツ」に対応している。また、ナビシステム１００が本発明の「車載用情報表示装置」に対応している。
【００３４】
（第１実施形態の効果）
第１実施形態は、次のような効果を奏する。
（１）表示コンテンツ判定部６２は、第１のナビディスプレイ１０が表示するコンテンツと、第２のナビディスプレイ２０が表示するコンテンツとが同一か否かを判定する。そして、表示コンテンツ判定部６２が同一と判定したときは、表示コンテンツ切替部６３が、第１、第２のナビディスプレイ１０、２０うちの「同一と判定したコンテンツ」を先に表示している方に、その表示するコンテンツを「同一と判定したコンテンツ」から他のコンテンツに切り替えさせる。ここで、他のコンテンツとは、「同一と判定したコンテンツ」と予め関連付けしたコンテンツのことである。このように、第１、第２のナビディスプレイ１０、２０が同一コンテンツを表示するときは、その一方を該コンテンツに関係する他のコンテンツに自動で切り替えて、互いに関連する２つのコンテンツを近接して表示する。
【００３５】
この構成により、同一コンテンツを並べて表示する場合と比べて、ユーザーの操作手数を増やすことなく、より有用な情報をユーザーに提供することが可能となり、ナビシステムの利便性を向上することができる。即ち、従来の技術では、２つのディスプレイが同一コンテンツを表示した際の振舞いを想定できておらず、利便性が低いものとなっていた。これに対して、本発明の実施形態では、先に表示していた方のコンテンツが有用なコンテンツに自動で切り替わるため、利便性を向上することができる。また、自動切替により、例えば、ユーザーの自発的な操作では発見する機会が少ないような、有用で新しいコンテンツをユーザーに提供することも可能となる。
【００３６】
（２）また、表示コンテンツ判定部６２は、第１、第２のナビディスプレイ１０、２０がコンテンツを表示するコンテンツを切り替える毎に、第１のナビディスプレイ１０が表示するコンテンツと、第２のナビディスプレイ２０が表示するコンテンツとが同一か否かを判定する。
これにより、第１、第２のナビディスプレイ１０、２０が同一コンテンツを表示する機会を減らすことができる（又は、表示する時間を短くすることができる）ので、ナビシステムの利便性をさらに向上することができる。
【００３７】
（３）また、表示制御部６１は、第１のナビディスプレイ１０の操作部１２が出力する操作情報に応じて情報取得機能部５０が情報を出力するときは、該情報を含むコンテンツを第１のナビディスプレイ１０の表示部１１に表示させる。また、表示制御部６１は、第２のディスプレイ２０の操作部２２が出力する操作情報に応じて情報取得機能部５０が情報を出力するときは、該情報を含むコンテンツを第２のナビディスプレイ２０の表示部２１に表示させる。
これにより、第１、第２のナビディスプレイ１０、２０のそれぞれで、情報取得機能部５０が有する機能の実行を指示し、その結果を表示させることができる。
【００３８】
（４）また、情報取得機能部５０は、例えば、ナビ機能を実行してナビ情報を取得し、取得したナビ情報を出力するナビ機能部５１と、車両情報取得機能を実行して車両情報を取得し、取得した車両情報を出力する車両情報取得機能部５２と、を有する。表示制御部６１は、ナビ機能部５１が出力するナビ情報を受け取るときは、ナビ情報を含むコンテンツ（例えば、図７（ａ）に示した「コンパスナビ情報」等）を第１のナビディスプレイ１０又は第２のディスプレイ２０に表示させる。また、表示制御部６１は、車両情報取得機能部５２が出力する車両情報を受け取るときは、車両情報を含むコンテンツ（例えば、図５（ａ）に示した「燃費情報」等）を第１のナビディスプレイ１０又は第２のディスプレイ２０に表示させる。
これにより、第１、第２のナビディスプレイ１０、２０のそれぞれで、情報取得機能部５０が有する各機能（例えば、ナビ機能、車両情報取得機能等）の実行を指示し、その結果を表示させることができる。
【００３９】
＜第２実施形態＞
第１実施形態では、ナビシステム１００が第１のナビディスプレイ１０と第２のナビディスプレイ２０とを備え、第１のナビディスプレイ１０と第２のナビディスプレイ２０のそれぞれで、情報取得機能部５０が有する各機能（例えば、ナビ機能、車両情報取得機能等）の実行を指示し、その結果を表示させることについて説明した。しかしながら、本発明の車載用情報表示装置はナビシステムに限定されるものではない。本発明の車載用情報表示装置は、例えば、ナビ機能とオーディオ機能を備えた車載機器システムであってもよい。第２実施形態では、このような態様について説明する。
【００４０】
（構成）
図８は、本発明の第２実施形態に係る車載機器システム２００の構成例を示す概要図である。このナビシステム１００は、ナビディスプレイ１０及びオーディオディスプレイ１２０のそれぞれで、ナビに関するコンテンツを表示し、操作することが可能なシステムである。図８に示すように、この車載機器システム２００は、例えば、ナビディスプレイ１０と、オーディオディスプレイ１２０と、ナビディスプレイ１０及びオーディオディスプレイ１２０とそれぞれ通信ライン３１、３２を介して接続するシステム本体１４０と、システム本体１４０と通信ライン３３を介して接続するスピーカー４５と、を備える。
【００４１】
オーディオディスプレイ１２０は、例えば、コンテンツを表示する表示部１２１と、ユーザーの操作に応じた操作情報を出力する操作部１２２とを有する。表示部１２１は、例えば液晶表示装置又は有機ＥＬ等からなる。また、操作部１２２は、例えばスイッチからなる。オーディオディスプレイ１２０がタッチパネルの場合、操作部２２はその一部又は全部がタッチパッドでもよい。操作部１２、１２２は、例えば、後述する情報取得機能部１５０のナビ機能部５１、車両情報取得機能部５２、交通情報取得機能部５３、オーディオ機能部５４にそれぞれ操作情報を出力して、これらが取得した情報を表示制御部６１に出力させることが可能となっている。
【００４２】
システム本体１４０は、例えば、情報取得機能部１５０と、表示制御部６１と、表示コンテンツ判定部６２及び表示コンテンツ切替部６３を備える。これらの中で、情報取得機能部１５０は、第１実施形態で説明した情報取得機能部５０と同様、所定の情報取得機能を有し、例えば、各操作部１２、１２２が出力する操作情報に応じて所定の情報取得機能を実行して各種の情報を取得し、取得した各種の情報を出力する機能部である。
【００４３】
情報取得機能部１５０は、例えば、ナビ機能部５１と、車両情報取得機能部５２と、交通情報取得機能部５３と、オーディオ機能部５４を有する。オーディオ機能部５４は、例えば、ラジオ放送やテレビジョン放送の受信、各種記憶装置に格納した音声データ、音楽データ、映像データ等を再生して出力する機能を有する。
表示制御部６１は、例えば、オーディオ機能部５４が出力するオーディオ情報を受け取り、受け取ったオーディオ情報を含むコンテンツをナビディスプレイ１０の表示部１１又はオーディオディスプレイ１２０の表示部１２１に表示させると共に、スピーカー４５から音を出力させる機能を有する。オーディオ情報を含むコンテンツとしては、例えば、後述する「オーディオ情報」や「アルバムカバーフロー」などが挙げられる。
【００４４】
図８に示すシステム本体１４０は、第１実施形態で説明したシステム本体４０と同様、例えばＣＰＵと、ＲＡＭ、ＲＯＭ、ＨＤＤ等の記憶装置と、通信ラインを構成する配線、外部と通信するためのアンテナ、ＣＤ、ＤＶＤ等に記録されたオーディオ情報をレーザー光等を使用して読み出す光学ドライブ装置など、各種のハードウェアで構成されている。そして、システム本体１４０は、ＲＯＭ等の記憶装置に格納されたプログラムを読み出し、当該プログラムをＣＰＵで実行することによって、各種機能を実現する。
【００４５】
図９は、本発明の第２実施形態に係るナビディスプレイ１０及びオーディオディスプレイ１２０の配置例を示す概念図である。図９に示すように、ダッシュボード７５において、前席（例えば、運転席７１と助手席７２）に着座した乗員（即ち、ユーザー）から視認可能な中央部の上側位置７５ａにナビディスプレイ１０が収納されており、前席に着座した乗員から視認可能な中央部の下側位置７５ｂにオーディオディスプレイ１２０が収納されている。車室内１において、上側位置７５ａと下側位置７５ｂは上下方向で並んでおり、互いに近接している。これにより、前席に着座した乗員から見て、ナビディスプレイ１０及びオーディオディスプレイ１２０を同時に視野に入れることが可能となっている。また、図９に示したシステム本体１４０は、例えば、第１のナビディスプレイ１０又は第２のナビディスプレイ２０と同じユニット内に配置されている。
【００４６】
図１０（ａ）及び（ｂ）は、コンテンツ「オーディオ情報」及び「アルバムカバーフロー」の一例を示す図である。例えば図１０（ａ）に示すように、コンテンツ「オーディオ情報」は、アーティスト名、アルバム名、トラックナンバー等を表示し、再生中のオーディオ情報を一目で把握できるような画面となっている。また、例えば図１０（ｂ）に示すように、コンテンツ「アルバムカバーフロー」は、再生中のアルバムカバーを一目で把握できるような画面となっている。「オーディオ情報」と「アルバムカバーフロー」は予め紐付けされている。
【００４７】
この車載機器システム２００における表示コンテンツの切替方法は、第１実施形態で説明したナビシステム１００における表示コンテンツの切替方法（図３参照）と同様である。例えば、ナビディスプレイ１０とオーディオディスプレイ１２０が共にコンテンツ「オーディオ情報」を表示するとき、「オーディオ情報」を先に表示している方のディスプレイが、その表示するコンテンツを「オーディオ情報」から「アルバムカバーフロー」へ切り替える。
【００４８】
第２実施形態では、例えば、ナビディスプレイ１０が本発明の「第１の表示装置」に対応し、オーディオディスプレイ１２０が本発明の「第２の表示装置」に対応し、操作部２２が本発明の「第２のユーザー操作部」に対応している。また、オーディオ機能部５４が本発明の「第２の情報取得機能部」に対応し、図１０（ａ）に示したコンテンツ「オーディオ情報」が本発明の「第２のコンテンツ」に対応している。また、車載機器システム２００が本発明の「車載用情報表示装置」に対応している。その他の対応関係は第１実施形態と同じである。
【００４９】
（第２実施形態の効果）
第２実施形態は、第１実施形態の効果（１）〜（４）と同様の効果を奏する。
また、車載機器システム２００はオーディオ情報も表示するため、上記の効果に加えて、より多くの情報をユーザーに提供することができるという効果も奏する。
【００５０】
（変形例）
（１）上記の第１実施形態では、本発明の「第２の表示装置」が第２のナビディスプレイである場合について説明した。第２実施形態では、本発明の「第２の表示装置」がオーディオディスプレイである場合について説明した。しかしながら、本発明の「第２の表示装置」はこれに限定されるものではない。例えば図１１に示すように、本発明の「第２の表示装置」は、メーターディスプレイ２２０でもよい。
メーターディスプレイ２２０は、コンテンツを表示する第１の表示部２２０ａと、速度等を表示する第２の表示部２２０ｂとを有し、第１の表示部２２０ａはナビディスプレイ１０に近接している。表示部２２０ａ、２２０ｂは、例えば液晶表示装置又は有機ＥＬ等からなる。また、メーターディスプレイ２２０はタッチパネルであり、操作部の一部又は全部がタッチパッドとなっている。このような構成であっても、メーターディスプレイ２２０のうち、コンテンツを表示する第１の表示部２２０ａは、ナビディスプレイ１０に近接しているので、例えば図３に示した表示コンテンツの切替方法を行うことにより、上記の第１実施形態の効果（１）〜（４）と同様の効果を奏する。
【００５１】
（２）また、本発明の第１、第２実施形態では、車室１内において、ユーザーが視認可能な位置に２つのディスプレイを並んで配置する場合について説明した。しかしながら、本発明において、ユーザーが視認可能な位置に並んで配置するディスプレイの数は２つに限定されず、３つ以上の複数でもよい。例えば図１１において、ナビディスプレイ１０が「第１の表示装置」で、オーディオディスプレイ１２０が「第２の表示装置」で、メーターディスプレイ２２０が「第３の表示装置」でもよい。これら第１〜第３の表示装置のうち、２つの表示装置が同一コンテンツを表示する場合は、２つの表示装置のうちで同一コンテンツを先に表示していた表示装置に、その表示コンテンツを切り替えさせる。表示コンテンツの切替方法は、第１実施形態で説明した表示コンテンツの切替方法（図３参照）と同様である。このような構成であっても、上記の第１実施形態の効果（１）〜（４）と同様の効果を奏する。
【００５２】
（３）また、上記の第１、第２実施形態では、車室内の前席と対向する位置に第１の表示装置及び第２の表示装置を配置する場合について説明した。しかしながら、本発明において、第１の表示装置及び第２の表示装置の配置位置は、車室内の前席と対向する位置に限定されるものではなく、車室内の他の位置でもよい。例えば、第１の表示装置及び第２の表示装置の配置位置は、車室内の後席と対向する位置でもよい。その場合は、後席に着座するユーザーに、ユーザーの操作手数を増やすことなく、より有用な情報を提供することが可能となる。
（４）また、上記の第１、第２実施形態では、第１の表示装置及び第２の表示装置が並んで配置されている（すなわち、同列に配置されている）場合について説明した。しかしながら、本発明において、第１の表示装置及び第２の表示装置は並んで配置されていなくてもよく、例えば、単に近接して配置されていてもよい。
【００５３】
以上、本願が優先権を主張する日本国特許出願２０１３−２２９３６８（２０１３年１１月５日出願）の全内容は、参照により本開示の一部をなす。
ここでは、限られた数の実施形態を参照しながら説明したが、権利範囲はそれらに限定されるものではなく、上記の開示に基づく各実施形態の改変は当業者にとって自明なことである。
【符号の説明】
【００５４】
１０  （第１の）ナビディスプレイ
１１、２１、１２１  表示部
１２、２２、１２２  操作部
１２ａ  情報スイッチ
２０  第２のナビディスプレイ
３１、３２、３３  通信ライン
４０、１４０  システム本体
４５  スピーカー
５０、１５０  情報取得機能部
５１  ナビ機能部
５２  車両情報取得機能部
５３  交通情報取得機能部
５４  オーディオ機能部
６１  表示制御部
６２  表示コンテンツ判定部
６３  表示コンテンツ切替部
７１  運転席
７２  助手席
７５  ダッシュボード
７５ａ  上側位置
７５ｂ  下側位置
１００  車載機器システム
１００  ナビシステム
１２０  オーディオディスプレイ
２００  車載機器システム
２２０  メーターディスプレイ
２２０ａ  第１の表示部
２２０ｂ  第２の表示部
【図１】
2015068368.tif 000003
【図２】
2015068368.tif 000004
【図３】
2015068368.tif 000005
【図４】
2015068368.tif 000006
【図５】
2015068368.tif 000007
【図６】
2015068368.tif 000008
【図７】
2015068368.tif 000009
【図８】
2015068368.tif 000010
【図９】
2015068368.tif 000011
【図１０】
2015068368.tif 000012
【図１１】
2015068368.tif 000013
【国際調査報告】
2015068368.tif 000014
2015068368.tif 000015